(57)【要約】【課題】      釣竿の保持ベルトとショルダ−ベルトの間に設けた回転部材が釣竿の表面に触れて傷つけることをカバ−体で防止した釣竿携行具を提供することである。【解決手段】  釣竿携行具１は保持ベルト２とショルダ−ベルト７からなり、保持ベルト２は取付片３で取り付けられたＤ環４を有し、このＤ環４にショルダ−ベルト７が回転部材６とナス環１２を介して取り付けられ、Ｄ環４が固定された保持ベルト２の下側には上下に長いカバ−体８が一体または別体で固定され、釣竿５に回転部材６が当たることを防止している。【選択図】        図１
2008000101.tif 000002
【特許請求の範囲】
【請求項１】
ショルダ−ベルトの両端側に釣竿保持ベルトを設けた釣竿携行具において、ショルダ−ベルトと釣竿の保持ベルトは回転部材を介して取り付けられると共に、回転部材が釣竿に当たらないようにするカバ−体を設けたことを特徴とする釣竿携行具。
【発明の詳細な説明】
【技術分野】
【０００１】
本発明は、釣竿をショルダ−ベルトで携行する釣竿携行具に関する。
【背景技術】
【０００２】
従来釣竿を釣場に携行するには特許文献１のように、釣竿の上下に釣竿収束バンドを巻き付け、この釣竿収束バンドに突設した吊環体に肩掛けバンドに取り付けたフック体を係合して肩掛けバンドを肩に掛けて携行している。
上記のように釣竿収束バンドに突設した吊環体に肩掛けバンドに取り付けたフック体を係合していると、肩掛けバンドを肩から外した時、吊環体やフック体が裸の釣竿の表面に触れるので、釣竿の表面に傷がつき易く、美観を損ねる。
【特許文献１】特開平１１−３１８２９７号公報
【発明の開示】
【発明が解決しようとする課題】
【０００３】
解決しようとする問題点は、肩掛けバンドを肩から外した時、吊環体やフック体が裸の釣竿の表面に触れるので、釣竿の表面に傷がつき易く、美観を損ねることである。
【０００４】
本発明の目的は前記欠点に鑑み、釣竿の保持ベルトとショルダ−ベルトの間に設けた回転部材が釣竿の表面に触れて傷つけることをカバ−体で防止した釣竿携行具を提供することである。
【課題を解決するための手段】
【０００５】
本発明の請求項１は、ショルダ−ベルトの両端側に釣竿保持ベルトを設けた釣竿携行具において、ショルダ−ベルトと釣竿の保持ベルトは回転部材を介して取り付けられると共に、回転部材が釣竿に当たらないようにするカバ−体を設けたことを要旨とするものである。
【発明の効果】
【０００６】
本発明により、回転部材と釣竿の間にカバ−体が設けられているので、回転部材が釣竿の表面に当たって傷付けることが防止される。
【発明を実施するための最良の形態】
【０００７】
釣竿携行具１は保持ベルト２とショルダ−ベルト７からなり、保持ベルト２は取付片３で取り付けられたＤ環４を有し、このＤ環４にショルダ−ベルト７が回転部材６とナス環１２を介して取り付けられ、Ｄ環４が固定された保持ベルト２の下側には上下に長いカバ−体８が一体または別体で固定され、釣竿５に回転部材６が当たることを防止している。
【実施例１】
【０００８】
以下、図示の実施例によって本発明を説明すると、図１から図３は第１実施例で、図１は釣竿携行具を取り付けた釣竿の斜視図、図２は釣竿携行具の拡大正面図、図３は釣竿携行具の断面側面図である。
【０００９】
釣竿携行具１は保持ベルト２と保持ベルト２に固定された取付片３で取り付けられたＤ環４からなり、保持ベルト２は帯状で１本または複数本の釣竿５を束ねるように上下それぞれにて巻回され、Ｄ環４に回転部材６を介してショルダ−ベルト７が取り付けられている。
図２、図３でＤ環４が固定された保持ベルト２の下側にはショルダ−ベルト７のそれぞれ他端側の保持ベルト２に向けて突出する上下に長いカバ−体８が一体または別体で保持ベルト２に取り付けられている。
保持ベルト２と取付片３とカバ−体８は皮革や合成樹脂シ−トやクロロプレ−ンなどのゴムが取付られて構成されている。
【００１０】
保持ベルト２は帯体で両端の表裏にベルベットファスナ−１０、１１が固定されてベルベットファスナ−１０、１１は保持ベルト２が釣竿５に巻回された後係合される。
回転部材６はショルダ−ベルト７の長手方向を軸として回転可能に形成され、ショルダ−ベルト７のよじれを取るために設けられ、回転部材６はナス環１２とショルダ−ベルト７のベルト７ａを通す掛け部１３と、ナス環１２と掛け部１３を回転自在にピン軸１４で係合して構成されている。
ショルダ−ベルト７には両端に回転部材６が設けられているため、保持ベルト２を釣竿５に巻回した後にでもショルダ−ベルト７のよじれを取ることができる。
ショルダ−ベルト７にはベルト７ａの長さを調整する調整環１５が設けられると共に図示しない肩パットを設けてもよい。
【００１１】
前記のように釣竿携行具が構成されると、Ｄ環４が固定された保持ベルト２の下側にカバ−体８が固定されて回転部材６と釣竿５の間にカバ−体８がショルダ−ベルト７と向い合うようにして釣竿５に沿って添設されて設けられているので、Ｄ環４とＤ環４に係止された回転部材６が釣竿５の表面に直接当たることが防止され、釣竿５の表面に傷をつけることがないので釣竿５の表面の美観を保持できる。
【実施例２】
【００１２】
図４、図５は第２実施例で、図４は釣竿携行具の拡大正面図、図５は釣竿携行具の断面側面図である。
【００１３】
第２実施例で釣竿携行具１は、保持ベルト２のＤ環４にショルダ−ベルト７がその両端の回転部材６を介して取り付けられると共に、カバ−体８′がショルダ−ベルト７の両端に取り付けられ、回転部材６が釣竿５に当たることを防止する。
ショルダ−ベルト７にカバ−体８′を取り付ける時、図の上側ではベルト７ａが長さ調整可能に取り付けられているので、ベルト７ａの適宜位置に直接カバ−体８′を縫着で取り付けたが、係止具を介して着脱自在に取り付けてもよいし、また、回転部材６のナス環１２や掛け部１３に取り付けてもよい。
カバ−体８′は横に長い帯状に形成され、カバ−体８′の両端の表裏にベルベットファスナ−１６、１７が固定されている。
他の構成は前記第１実施例と略同一である。
【００１４】
カバ−体８′のベルベットファスナ−１６、１７はＤ環４に回転部材６が係止された後に重ねて閉じられる。
この場合、カバ−体８′によって回転部材６の外周を覆うことができるため、回転部材６への釣糸の絡みも防止できる。
【００１５】
前記のように釣竿携行具が構成されると、ショルダ−ベルト７の両端または回転部材６にカバ−体８′が固定されて回転部材６と釣竿５の間にカバ−体８′が設けられているので、Ｄ環４とＤ環４に係止された回転部材６が釣竿５の表面に直接当たることが防止され、釣竿５の表面に傷をつけることがないので釣竿５の表面の美観を保持できる。
また、第１実施例ではカバ−体８を釣竿保持ベルト２側に取り付けたが第２実施例のようにカバ−体８′をショルダ−ベルト７側に取り付けても同様の作用効果が得られる。
【実施例３】
【００１６】
図６、図７は第３実施例で、図６は釣竿携行具の拡大正面図、図７は釣竿携行具の断面側面図である。
【００１７】
第３実施例で釣竿携行具１は、Ｄ環４が固定された保持ベルト２の下側にＤ環４を覆うと共にそれより長い回転部材６を覆う袋状のカバ−体９が取り付けられている。
他の構成は前記第１実施例と略同一である。
【００１８】
前記のように釣竿携行具が構成されると、袋状のカバ−体９を取り付けることで回転部材６の外周が確実に覆われることとなり、より、釣竿５の傷付きや、回転部材６への糸の絡みが確実に防止できる。
【産業上の利用可能性】
【００１９】
前記説明では、釣竿携行具の全般に利用できる。
【図面の簡単な説明】
【００２０】
【図１】釣竿携行具を取り付けた釣竿の斜視図である。
【図２】同釣竿携行具の拡大正面図である。
【図３】同釣竿携行具の断面側面図である。
【図４】第２実施例で、釣竿携行具の拡大正面図である。
【図５】同釣竿携行具の断面側面図である。
【図６】第３実施例で、釣竿携行具の拡大正面図である。
【図７】同釣竿携行具の断面側面図である。
【符号の説明】
【００２１】
１  釣竿携行具
２  保持ベルト
５  釣竿
６  回転部材
７  ショルダ−ベルト
８、８′、９  カバ−体
【図１】
2008000101.tif 000003
【図２】
2008000101.tif 000004
【図３】
2008000101.tif 000005
【図４】
2008000101.tif 000006
【図５】
2008000101.tif 000007
【図６】
2008000101.tif 000008
【図７】
2008000101.tif 000009